(57)【要約】【課題】横バタ材に掛止してチェーンを緊張させても金物自体が回転することはなく、また、チェーンの緊張効果の低減も抑え、かつ、効率良く型枠の垂直度の調整作業ができるチェーン引き金物を提供すること。【解決手段】上側横バタ材２１に掛止される上側横バタ材掛止部１１と、下側横バタ材２２に掛止される下側横バタ材掛止部１２と、上側横バタ材掛止部１１と下側横バタ材掛止部１２の中間から上側横バタ材２１と下側横バタ材２２の間に有する隙間を通って型枠とは反対側となる側方に延出する中間側方延出部１３とを有し、中間側方延出部１３の先端部にはチェーンが係止されるチェーン係止部１４を設け、上側横バタ材掛止部１１と下側横バタ材掛止部１２の少なくともいずれか一方の端部には、上側横バタ材２１または下側横バタ材２２の上部または下部まで突出して掛止する突出掛止部１１ｂを設ける。【選択図】図２
2015048596.tif 000002
【特許請求の範囲】
【請求項１】
縦バタ材が裏面に所定間隔ごとに設けられたパネルを立設し、上側と下側の横バタ材をそれらの縦バタ材に水平状態で当接させると共に、パネルに取り付けた型枠締付け金具によってそれらの横バタ材を締付けて固定させた型枠に対しチェーンを引っ掛けるために使用するチェーン引き金物であって、
上側の横バタ材に掛止される上側横バタ材掛止部と、下側の横バタ材に掛止される下側横バタ材掛止部と、上側横バタ材掛止部と下側横バタ材掛止部の中間から上側と下側の横バタ材の間に有する隙間を通って型枠とは反対側となる側方に延出する中間側方延出部とを有し、
上側横バタ材掛止部には、上側の横バタ材の断面形状に応じた形状の上側横バタ材当接部が設けられている一方、下側横バタ材掛止部には、下側の横バタ材の断面形状に応じた形状の下側横バタ材当接部が設けられ、中間側方延出部の先端部にはチェーンが係止されるチェーン係止部が設けられており、上側横バタ材掛止部と下側横バタ材掛止部の少なくともいずれか一方の端部には、上側または下側の横バタ材の上部または下部まで突出して掛止する突出掛止部が設けられていることを特徴とするチェーン引き金物。
【請求項２】
請求項１に記載のチェーン引き金物において、
突出掛止部が、少なくとも上側横バタ材掛止部に設けられており、
中間側方延出部の先端部に設けられたチェーン係止部は、下方に屈曲されていることを特徴とするチェーン引き金物。
【請求項３】
請求項１または請求項２に記載のチェーン引き金物において、
中間側方延出部は、軸体方向に直交する断面の少なくとも一部が上側横バタ材掛止部や下側横バタ材掛止部、チェーン係止部よりも小さいことを特徴とするチェーン引き金物。
【発明の詳細な説明】
【技術分野】
【０００１】
本発明は、コンクリート建造物やコンクリート壁を構築する型枠の垂直度を調整するために使用するチェーンを当該型枠に簡単かつ確実に取り付けるためのチェーン引き金物に関するものである。
【背景技術】
【０００２】
従来、型枠は、桟木等からなる縦バタ材が裏面に所定間隔ごとに設けられたパネルを立設し、２本１組の鋼管等からなる横バタ材をそれらの縦バタ材に水平状態で当接させると共に、パネルに取り付けた型枠締付け金具によってそれらの横バタ材を締付けて固定させて構築する。そして、横バタ材等の型枠にパイプサポートを支持させると共に、ターンバックルが装着されたチェーンを直接横バタ材に掛止させて、型枠をパイプサポートで押し起こしたり、チェーンで引き起こしたりして、構築した型枠の垂直度を調整する。
【０００３】
ここで、チェーンを横バタ材に掛止するため、例えば、特許文献１の掛け金具では、フック部とリング部からなる金物を１本の横バタ材に引っ掛けると共に、そのリング部にターンバックルが設けられたチェーンの先端部を係止して、ターンバックルによってチェーンを緊張させてコンクリート擁壁用型枠を地面側に引き付けるようにしている。
【先行技術文献】
【特許文献】
【０００４】
【特許文献１】特開２００２−３２７５４４号公報
【発明の概要】
【発明が解決しようとする課題】
【０００５】
しかしながら、上述の特許文献１に記載の掛け金具では、チェーンを緊張させると作用する緊張力の反力となる位置（チェーンをスラブ等に固定する位置）が型枠から離れるほど、型枠に対するチェーンの角度が大きくなるため、フック部の折り曲げ部を支点にリング部が取り付く側の部位が広がってしまいチェーンの緊張効果が低減するという問題が発生すると共に、その金物自体が回転するため、作業効率が悪いという問題が顕著に表れる。
【０００６】
また、型枠の垂直度を調整する作業は、型枠締付け金具の軸心上に緊張力を作用させれば、その型枠締付け金具が取り付いているパネルを引き起こすことになるため、作業効率が最も良い。しかしながら、上述の特許文献１に記載の掛け金具は、２本１組の横バタ材のうち上側の１本の横バタ材にのみ引っ掛けるタイプのため、チェーンを緊張させた際、型枠締付け金具の軸心から偏心した位置にある上側の横バタ材に緊張力が作用する。そのため、型枠締付け金具には緊張力だけでなく曲げの力も作用することから、垂直度の調整作業の効率性という点でも改善する余地があった。
【０００７】
本発明は、このような問題点に鑑みなされたもので、簡単に横バタ材に掛止することができて、チェーンを緊張させても金物自体が回転することなくその作業効率の向上が図れ、その緊張効果が低減し難く、かつ、型枠の垂直度を調整する作業効率も改善されたチェーン引き金物を提供することを目的とする。
【課題を解決するための手段】
【０００８】
前記課題を解決するため、本発明に係るチェーン引き金物は、縦バタ材が裏面に所定間隔ごとに設けられたパネルを立設し、上側と下側の横バタ材をそれらの縦バタ材に水平状態で当接させると共に、パネルに取り付けた型枠締付け金具によってそれらの横バタ材を締付けて固定させた型枠に対しチェーンを引っ掛けるために使用するチェーン引き金物であって、上側の横バタ材に掛止される上側横バタ材掛止部と、下側の横バタ材に掛止される下側横バタ材掛止部と、上側横バタ材掛止部と下側横バタ材掛止部の中間から上側と下側の横バタ材の間に有する隙間を通って型枠とは反対側となる側方に延出する中間側方延出部とを有し、上側横バタ材掛止部には、上側の横バタ材の断面形状に応じた形状の上側横バタ材当接部が設けられている一方、下側横バタ材掛止部には、下側の横バタ材の断面形状に応じた形状の下側横バタ材当接部が設けられ、中間側方延出部の先端部にはチェーンが係止されるチェーン係止部が設けられており、上側横バタ材掛止部と下側横バタ材掛止部の少なくともいずれか一方の端部には、上側または下側の横バタ材の上部または下部まで突出して掛止する突出掛止部が設けられていることを特徴とする。
ここで、突出掛止部が、少なくとも上側横バタ材掛止部に設けられており、中間側方延出部の先端部に設けられたチェーン係止部は、下方に屈曲されていると良い。
また、中間側方延出部は、軸体方向に直交する断面の少なくとも一部が上側横バタ材掛止部や下側横バタ材掛止部、チェーン係止部よりも小さいとさらに良い。
【発明の効果】
【０００９】
本発明に係るチェーン引き金物によれば、上側の横バタ材（以下、上側横バタ材という。）と下側の横バタ材（以下、下側横バタ材という。）の外周面に上側横バタ材掛止部の上側横バタ材当接部と下側横バタ材掛止部の下側横バタ材当接部がそれぞれ掛止され、しかも上側横バタ材掛止部と下側横バタ材掛止部のいずれか一方の端部には突出掛止部が設けられ、中間側方延出部が上側横バタ材と下側横バタ材の間に有する隙間を通って型枠とは反対側となる側方に延出しているので、チェーン係止部にチェーン先端を掛止してチェーンを緊張させても、金物自体が回転することはなく、作業効率が向上する。
また、チェーンが係止される中間側方延出部を上側横バタ材と下側横バタ材の間に設けているため、チェーンを緊張させても上側横バタ材または下側横バタ材によって中間側方延出部の変形が抑えられ、チェーンの緊張効果の低減を抑制できる。
また、上側横バタ材掛止部と下側横バタ材掛止部にそれぞれ横バタ材が掛止されていることで、チェーンに緊張力が作用した際には、上側横バタ材と下側横バタ材の双方に力が均等に作用するため、型枠の垂直度の調整作業の効率性が改善される。
【図面の簡単な説明】
【００１０】
【図１】本発明に係るチェーン引き金物の使用例を示す図である。
【図２】（ａ）〜（ｃ）それぞれ本発明に係るチェーン引き金物の一例を示す正面図、右側面図、底面図である。
【図３】図１におけるＡ部分の拡大斜視図である。
【図４】（ａ），（ｂ）それぞれ図１におけるＢ部分の拡大正面図、拡大平面図である。
【図５】本発明に係るチェーン引き金物の他の例を示す正面図である。
【図６】本発明に係るチェーン引き金物のさらに他の例を示す正面図である。
【図７】本発明に係るチェーン引き金物のさらに他の例を示す正面図である。
【発明を実施するための形態】
【００１１】
次に、本発明に係るチェーン引き金物１の実施の形態について説明する。
【００１２】
チェーン引き金物１は、例えば、図１に示すように、桟木（縦バタ材）３が裏面に所定間隔ごとに設けられたパネル４を立設し、断面が円形の管材からなる上側と下側の横バタ材をそれらの桟木３に水平状態で当接させると共に、パネル４に取り付けた型枠締付け金具２３によって締付けて固定させた型枠に対しチェーン５を引っ掛けるために使用するものである。
【００１３】
実施の形態のチェーン引き金物１は、図２（ａ）〜（ｃ）に示すように、所定厚さの一枚の金属板（鋼板）をカットして構成したもので、上側横バタ材２１に掛止される上側横バタ材掛止部１１と、下側横バタ材２２に掛止される下側横バタ材掛止部１２と、上側横バタ材掛止部１１と下側横バタ材掛止部１２の中間から上側横バタ材２１と下側横バタ材２２の間に有する隙間を通って型枠とは反対側となる側方に延出する中間側方延出部１３とを有する。
【００１４】
上側横バタ材掛止部１１には、その上端部に上側横バタ材２１の上部まで突出して掛止する突出掛止部１１ｂが設けられていると共に、円形の管材からなる上側横バタ材２１の断面形状および直径に対応して上側横バタ材２１の外周面に当接するようにほぼ半円形状に形成された上側横バタ材当接部１１ａが形成されている。つまり、上側横バタ材掛止部１１には、突出掛止部１１ｂの内側面と合わせて、上側横バタ材２１の外周面の円周のほぼ１／２に相当する上側横バタ材当接部１１ａが形成されることになる。ここで、上側横バタ材当接部１１ａの形状は、上側横バタ材２１の断面形状および直径に対応していれば完全に一致させる必要はなく、本実施形態の上側横バタ材当接部１１ａの形状も、上側横バタ材２１へ掛止する際のチェーン引き金物１自体の回転の作業性等を考慮して、上下方向に若干長い長円の円周の一部としている。なお、図２（ａ）上、上側横バタ材掛止部１１における上側横バタ材当接部１１ａとは反対側の左側面から突出掛止部１１ｂの先端部までの長さＸは、一般に用いられる型枠の桟木３の幅が４８ｍｍ〜６０ｍｍ程度であることから、それよりも小さく設定されている。
【００１５】
下側横バタ材掛止部１２には、上側横バタ材当接部１１ａと同様に円形の管材からなる下側横バタ材２２の断面形状に対応して形成された下側横バタ材当接部１２ａが形成されている。なお、下側横バタ材掛止部１２の下端部には突出掛止部１１ｂが設けられてなく、その下端部は図２（ａ）に示すように下方に延びている。
【００１６】
中間側方延出部１３は、図２（ａ）等に示すように、上側横バタ材掛止部１１と下側横バタ材掛止部１２の中間の連続部分から側方に延出していると共に、その先端部には斜め下方に屈曲されたチェーン係止部１４が設けられている。チェーン係止部１４にはチェーン５の先端に設けられたフック５１が係止されるチェーン係止孔１４ａが形成されており、チェーン係止孔１４ａは、チェーン係止部１４と同様に斜め下方に延びる長孔として形成されている。
【００１７】
中間側方延出部１３の上側面１３ａは、チェーン係止部１４まで直線状としている一方、中間側方延出部１３の下側面１３ｂは、下側横バタ材掛止部１２の下側横バタ材当接部１２ａおよびチェーン係止部１４の下側面に連続して湾曲させて、下側横バタ材２２の外周面に沿って接するようにしている。中間側方延出部１３は、上側横バタ材２１と下側横バタ材２２の間に有する隙間に設置されるため、チェーン５を緊張した際、中間側方延出部１３に曲げの力が作用しても変形しない。よって、図２（ａ）等に示すように軸体方向に直交する断面の一部を上側横バタ材掛止部１１や下側横バタ材掛止部１２、チェーン係止部１４よりも小さく形成することができ、合理的な軽量化が図れる。
【００１８】
次に、以上のように構成されたチェーン引き金物１の使用方法やその効果について説明する。
【００１９】
まず、図１に示すように、コンクリートスラブ（床面）６上にコンクリート壁７を構築するため、桟木（縦バタ材）３が裏面に所定間隔ごとに設けられたパネル４を立設し、断面が円形の管材からなる上側と下側の横バタ材２１，２２をそれらの桟木３に水平状態で当接させると共に、パネル４に取り付けた型枠締付け金具２３によって締付け固定させて型枠を組み立て、その型枠にコンクリートスラブ６面上に固定した支持金具８を介してパイプサポート９を支持させる。
【００２０】
支持金具８は、例えば、図３に示すように、コンクリートスラブ６上の所定位置に予め埋設されたアンカーボルト８１（図１参照。）の位置にアンカー孔８２を合せて、ナット（図示せず。）で締め付けることにより固定される。なお、図３において、支持金具８には、ターンバックル５２の下端部側のフック５２ｂが係止されるチェーン係止孔８３が形成されている。
【００２１】
パイプサポート９は、図１に示すように支持金具８に当接する台板９１と、その台板９１が接合された腰管９２と、この腰管９２に進退自在に挿入された差込み管９３と、差込み管９３の端部に接合され、パネル４に下端部が当接する受け板９４とで構成されている。そして、図示しない支持ピンや調整ネジ等により、腰管９２に対し差込み管９３の長さを変えることにより、傾斜状態で型枠に対し押圧力を付与できる。
【００２２】
チェーン５には、図４（ａ），（ｂ）に示すように、その先端部側に本実施形態のチェーン引き金物１に引っ掛けるためのフック５１が設けられている一方、図１に示すように下端部側はターンバックル５２の上端部側のフック５２ａが連結されている。ターンバックル５２の下端部側のフック５２ｂは、図３に示すように支持金具８のチェーン係止孔８３に係止されている。なお、図４において、パネル４には、横バタ材２１，２２を型枠に締付け固定させると共に、対向するパネル（型枠）４との間隔を一定に保つ型枠締付け金具２３が取り付けられている。
【００２３】
次に、チェーン引き金物１のチェーン係止部１４を掴んで上側横バタ材２１と下側横バタ材２２の間に有する隙間にほぼ水平状態にして挿入する。挿入量は、例えば、チェーン引き金物１を回転させても上側横バタ材掛止部１１の突出掛止部１１ｂが上側横バタ材２１の外周面に引っ掛からない程度まで挿入する。
【００２４】
次いで、上側横バタ材２１と下側横バタ材２２の間に有する隙間に挿入したチェーン引き金物１を約９０度回転させ、手前に引くことで、上側横バタ材掛止部１１と下側横バタ材掛止部１２にそれぞれの横バタ材２１，２２を当接させる。
【００２５】
また、チェーン引き金物１を所定の箇所に取り付けた後、チェーン５を係止させるが、この際、チェーン引き金物１の突出掛止部１１ｂの下側面が上側横バタ材２１の外周面の上部側に当接する一方、中間側方延出部１３の下側面１３ｂが下側横バタ材２２の外周面の上部側に当接するため、チェーン引き金物１が上側横バタ材２１，下側横バタ材２２に掛止された状態を保持することができる。そのため、チェーン５を係止する際、チェーン引き金物１の向きを直す必要が無くなるので、その作業性が向上する。さらに、中間側方延出部１３の先端部に設けたチェーン係止部１４が斜め下方に向かって屈曲しており、チェーン引き金物１自体の重心が下側横バタ材掛止部１２側に位置するため、突出掛止部１１ｂと上側横バタ材２１がより強固に当接し、より安定的に掛止された状態を保持することができる。
【００２６】
また、本実施形態のチェーン引き金物１では、上側横バタ材掛止部１１にのみ突出掛止部１１ｂが設けられている。この形態の場合、チェーン引き金物１を上側横バタ材２１，下側横バタ材２２との間に有る隙間に挿入して９０度回転させるが、このとき、突出掛止部１１ｂが上側横バタ材２１の外周面に引っ掛からないように上側横バタ材掛止部１１が奥の方に挿入されるように斜めに傾けて挿入回転させればよい。一方、上側横バタ材掛止部１１と下側横バタ材掛止部１２の双方に突出掛止部１１ｂを設けた場合には、横バタ材２１，２２に引っ掛からないように回転させるため、本実施形態の場合よりも奥まで挿入する必要があり、中間側方延出部１３が長くなる。よって、上側横バタ材掛止部１１にのみ突出掛止部１１ｂに設ければ、中間側方延出部１３が短くなり、その分だけチェーン引き金物１の重量を軽量化でき、作業性を向上させることができる。
【００２７】
次に、上側横バタ材２１および下側横バタ材２２の双方にほぼ鉛直状態で保持された状態のチェーン引き金物１のチェーン係止孔１４ａに、図４（ａ），（ｂ）に示すようにチェーン５の先端部側のフック５１を引っ掛けると共に、チェーン５の後端側にフック５２ａを介して連結されたターンバックル５２の後端側のフック５２ｂを、図３に示すように支持金具８のチェーン係止孔８３に係止する。
【００２８】
そして、以上のように構成された型枠に対してパイプサポート９による押圧力で押し起こしたり、チェーン５やターンバックル５２等による緊張力で引き起こしたりして、型枠の垂直度の調整を行う。
【００２９】
従って、本実施形態のチェーン引き金物１によれば、上側横バタ材２１と下側横バタ材２２の外周面に上側横バタ材掛止部１１の上側横バタ材当接部１１ａと下側横バタ材掛止部１２の下側横バタ材当接部１２ａがそれぞれ掛止され、しかも中間側方延出部１３が上側横バタ材掛止部１１と下側横バタ材掛止部１２の中間から上側横バタ材２１と下側横バタ材２２の間に有する隙間を通って型枠とは反対側となる側方に延出しているので、チェーン係止孔１４ａにチェーン５先端のフック５１を掛止してチェーン５を緊張させても、チェーン引き金物１自体が回転することはなく、作業効率が向上する。
【００３０】
また、コンクリートスラブ６上における支持金具８の固定位置が型枠から近付いたり遠ざかる等してチェーン５の取付け角度が変わったとしても、本実施形態のチェーン引き金物１では、チェーン５が係止される中間側方延出部１３を上側横バタ材２１と下側横バタ材２２の間に有する隙間に設けているため、チェーン５を引っ張っても上側横バタ材２１または下側横バタ２２によって中間側方延出部１３の変形が抑えられ、チェーン５の緊張効果の低減を抑制できる。
【００３１】
また、本実施形態のチェーン引き金物１では、上側横バタ材掛止部１１は上側横バタ材２１に、下側横バタ材掛止部１２は下側横バタ材２２にそれぞれ掛止された状態でチェーン引き金物１のほぼ中間、即ち、型枠締付け金具２３の軸心上に緊張力を作用することができるため、上述の特許文献１に記載した従来技術のように型枠締付け金具２３に曲げの力が作用することなく、チェーン５からの緊張力でパネル４自体を引き起こすことができ、型枠の垂直度の調整作業の効率性が改善される。
【００３２】
また、このチェーン引き金物１では、中間側方延出部１３におけるチェーン係止孔１４ａが設けられた先端部は、下方に屈曲されているため、チェーン５を介し中間側方延出部１３には曲げ方向の力等が殆ど作用しない。そのため、中間側方延出部１３の幅や断面積を小さくすることが可能となり、チェーン引き金物１の重量を軽量化して、作業性を向上させることができる。
【００３３】
なお、上記実施形態のチェーン引き金物１では、上側横バタ材掛止部１１側に突出掛止部１１ｂを設けて説明したが、本発明では、これに限らず、図５に示すチェーン引き金物１Ａのように上側横バタ材掛止部１１および下側横バタ材掛止部１２の双方に突出掛止部１１ｂ，１２ｂを設けるようにしても良い。この場合には、上述したようにチェーン引き金物１を横バタ材２１，２２の間に有する隙間に挿入して回転させることを考慮すると、突出掛止部１１ｂ，１２ｂにより中間側方延出部１３が長くなり、全体としてチェーン引き金物１の重量は重くなるが、それでも重量以外の作業効率の向上や、チェーン５の緊張効果の低減の抑制等の本発明の効果を得られることに変わりはない。また、図示しないが、下側横バタ材掛止部１２側にのみ突出掛止部１１ｂを設けても良い。
【００３４】
また、本発明のチェーン引き金物は、図６に示すチェーン引き金物１Ｂのように、中間側方延出部１３の先端部に設けるチェーン係止部１４’は屈曲させることなく、水平方向に延びた形状でも勿論良い。
【００３５】
さらに、横バタ材２１’，２２’が正方形等の角形の管材の場合は、図７に示すチェーン引き金物１Ｃのように、上側横バタ材掛止部１１’および下側横バタ材掛止部１２’には、それぞれ横バタ材２１’，２２’の断面形状に対応してそれら横バタ材２１’、２２’の外周面に当接するように直線状の上側横バタ材当接部１１ａ’および下側横バタ材当接部１２ａ’を形成する。なお、このチェーン引き金物１Ｃにおける中間側方延出部１３’の上側面１３ａ’および下側面１３ｂ’も直線状に形成しているが、それでも中間側方延出部１３’の幅や断面積は上側横バタ材当接部１１ａ’を含む他の部位よりも小さくなっていることから、チェーン引き金物１Ｃの重量が軽量化され、作業性を向上できる等の本発明の効果を得られることに変わりはない。
【００３６】
さらに、上記実施形態の説明では、チェーン引き金物１は、１枚の金属板を加工して上側横バタ材掛止部１１や下側横バタ材掛止部１２、中間側方延出部１３、等を設けて説明したが、本発明ではこれに限らず、１枚の金属板でなく、複数枚の金属板を溶接して構成しても良いし、さらには太い鋼線等を曲げて上側横バタ材掛止部１１や下側横バタ材掛止部１２、中間側方延出部１３、チェーン係止部１４等を設けるようにしても良い。
【符号の説明】
【００３７】
１，１Ａ、１Ｂ，１Ｃ  チェーン引き金物
１１，１１’  上側横バタ材掛止部
１１ａ，１１ａ’  上側横バタ材当接部
１１ｂ，１２ｂ  突出掛止部
１２，１２’  下側横バタ材掛止部
１２ａ，１２ａ’  下側横バタ材当接部
１３，１３’  中間側方延出部
１４，１４’  チェーン係止部
１４ａ  チェーン係止孔
【図１】
2015048596.tif 000003
【図２】
2015048596.tif 000004
【図３】
2015048596.tif 000005
【図４】
2015048596.tif 000006
【図５】
2015048596.tif 000007
【図６】
2015048596.tif 000008
【図７】
2015048596.tif 000009